(57)【特許請求の範囲】
【請求項１】
その片面に粘着テープが貼着され、上記粘着テープの外周に枠部が取り付けられている基板を、洗浄液により洗浄する洗浄手段を備える洗浄装置であって、
上記基板の外縁部分よりも外側にはみ出した粘着テープの露出面と、上記枠部とに、これらを洗浄液から保護する保護膜を形成し、上記基板上には保護膜を形成しない保護膜形成手段をさらに備えており、
上記保護膜形成手段は、上記洗浄液に不溶な保護膜材料を上記粘着テープの露出面及び上記枠部に塗布して乾燥させて、保護膜を形成するようになっている
ことを特徴とする洗浄装置。
【請求項２】
上記保護膜形成手段は、上記保護膜材料を上記枠部の外周部にさらに塗布するようになっていることを特徴とする請求項１に記載の洗浄装置。
【請求項３】
上記基板は、上記粘着テープが貼着されている面に背向する面に接着剤を介して支持板が貼着されており、
上記基板から上記支持板を剥離する剥離手段をさらに備え、
上記洗浄手段は、上記支持板が剥離された上記基板上に残存している付着物を洗浄して除去するようになっていることを特徴とする請求項１又は２に記載の洗浄装置。
【請求項４】
上記保護膜を除去する除去手段をさらに備えていることを特徴とする請求項１〜３のいずれか１項に記載の洗浄装置。
【請求項５】
上記保護膜は、上記洗浄液に不溶で且つ水溶性の保護膜材料により形成されており、
上記除去手段は、上記保護膜に水を供給し、上記保護膜を除去することを特徴とする請求項４に記載の洗浄装置。
【請求項６】
その片面に粘着テープが貼着され、上記粘着テープの外周に枠部が取り付けられている基板を洗浄する洗浄方法であって、
上記基板の外縁部分よりも外側にはみ出した粘着テープの露出面と、上記枠部とに、これらを洗浄液から保護する保護膜を形成し、上記基板上には保護膜を形成しない保護膜形成工程と、
上記保護膜を形成した後に、上記基板を洗浄液により洗浄する洗浄工程と、
を包含し、
上記保護膜形成工程では、上記洗浄液に不溶な保護膜材料を上記粘着テープの露出面及び上記枠部に塗布して乾燥させて、保護膜を形成する
ことを特徴とする洗浄方法。
【請求項７】
上記洗浄液に対して可溶な樹脂により形成されている枠部が取り付けられている基板を洗浄することを特徴とする請求項６に記載の洗浄方法。
【請求項８】
上記基板は、上記粘着テープが貼着されている面に背向する面に接着剤を介して支持板が貼着されており、
上記洗浄工程の前に、上記基板から上記支持板を剥離する剥離工程をさらに備え、
上記洗浄工程において、上記支持板が剥離された上記基板上に残存している付着物を洗浄して除去することを特徴とする請求項６または７に記載の洗浄方法。
【発明の詳細な説明】
【技術分野】
【０００１】
本発明は、外周に枠部が取り付けられている粘着テープが貼着されている基板を洗浄する洗浄装置及び洗浄方法に関する。
【背景技術】
【０００２】
携帯電話、デジタルＡＶ機器及びＩＣカード等の高機能化に伴い、搭載される半導体シリコンチップ（以下、チップ）を小型化及び薄板化することによって、パッケージ内にチップを高集積化する要求が高まっている。パッケージ内のチップの高集積化を実現するためには、チップの厚さを１５０μｍ以下にまで薄くする必要がある。
【０００３】
しかしながら、チップのベースとなる半導体ウエハ（以下、ウエハ）は、研削することにより肉薄にするため、その強度は弱くなり、ウエハにクラック又は反りが生じ易くなる。また、薄化することによって強度が弱くなったウエハを自動搬送することは困難であるため、人手によって搬送しなければならず、その取り扱いが煩雑である。
【０００４】
そのため、研削するウエハに支持板（以下、サポートプレート）と呼ばれる、ガラス又は硬質プラスチック等からなるプレートを貼り合わせることによってウエハの強度を保持し、クラックの発生及びウエハの反りを防止するウエハサポートシステムが開発されている。このウエハサポートシステムによりウエハの強度を維持することができるため、薄化したウエハの搬送を自動化することができる。
【０００５】
ウエハとサポートプレートとは、接着テープ、熱可塑性樹脂又は接着剤等を用いて貼り合わせられており、ウエハをダイシングする前にサポートプレートをウエハから剥離する。このとき、例えばウエハとサポートプレートとの貼り合わせに接着テープを用いる場合は、ウエハをサポートプレートから引き剥がすことによって剥離し、熱可塑性樹脂を用いる場合は、樹脂を加熱して溶解させることによって剥離し、接着剤を用いる場合は、溶解液を用いて溶解させることによって剥離する。
【０００６】
また、ウエハからサポートプレートを剥離する際に、ウエハの膜厚に応じて、ウエハのサポートプレートが接着されている面とは反対側の面をダイシングテープ等の粘着テープに貼り合わせることがある。ウエハはダイシングテープによって支持されることにより、膜厚が薄く強度が低い場合であってもクラック等の発生を抑えることができる。ダイシングテープの外周にはダイシングフレームと呼ばれる枠部が取り付けられる。
【０００７】
また、ウエハを加工する技術の他の例として、特許文献１及び２には、ウエハからチップを形成するために、該ウエハにレーザー光線を照射して各チップに切り分けるレーザー加工について記載されている。このレーザー加工では、レーザーによってウエハを切断する際に発生するデブリの影響を防止するために、当該切断時にウエハの表面に保護膜を形成している。
【先行技術文献】
【特許文献】
【０００８】
【特許文献１】特開２００４−１８８４７５号公報（２００４年７月８日公開）
【特許文献２】特開２００４−３２２１６８号公報（２００４年１１月１８日公開）
【発明の概要】
【発明が解決しようとする課題】
【０００９】
ところで、ウエハの表面にはその製造工程において汚れが付着することがあるため、この付着物を除去してウエハの表面を清浄にしなくてはならない。特に、ウエハに接着剤を介して接着させたサポートプレートを剥離すると、ウエハの表面に接着剤等が残存してしまう。また、接着剤を溶解させたときに接着剤中のフィラーなどに由来する溶解残渣物がウエハの表面に残存していることもある。そのため、ウエハをダイシングすることによって各チップに分割する前に、ダイシングテープに貼り合わせた状態でウエハの表面を洗浄する必要がある。
【００１０】
ウエハの洗浄方法としては、例えば図３に示すように処理を自動化して効率よく洗浄する方法がある。図３は、外周にダイシングフレームが取り付けられているダイシングテープに貼着されたウエハ表面を洗浄する従来の洗浄方法の一例を示す図である。
【００１１】
図３の（ａ）に示す方法では、ウエハ１００に対してノズル１０８から勢いよく洗浄液１０６を吐出することによって、残存接着剤１０３及び溶解残渣物１０４等の付着物を一緒に流してウエハ１００上から除去する。しかしながらこの方法では、ウエハ１００の外縁部分よりも外側にはみ出したダイシングテープ１０１の露出面に付着物が流れ、溶解残渣物１０４が付着して汚染されてしまう。これでは、その後のダイシングプロセスにおいて、ダイシングテープ１０１に付着した付着物がダイシングブレードに巻き込まれ、再びウエハ１００を汚してしまうことがある。
【００１２】
また、図３の（ｂ）に示す方法では、この汚染を防ぐためにダイシングテープ１０１上に水をかけながら洗浄液を吐出しているが、残存接着剤１０３がウエハ１００の表面に大量に残っている状態で水を吐出すると、水と残存接着剤１０３とが反応して溶解残渣物１０４が析出してしまうことがある。
【００１３】
なお、特許文献１及び２にはウエハの洗浄時におけるダイシングテープ及びダイシングフレームの汚染については何ら記載されていない。
【００１４】
さらに、図３の（ａ）に示す方法では、ダイシングテープ１０１の露出面よりもさらに外側にはみ出したダイシングフレーム１０２にまで洗い流した付着物が付着するので、その後の工程においてロボットアームによりダイシングフレーム１０２を把持したときに、ロボットアームが付着物により汚染されてしまう。
【００１５】
また、近年、平坦で剛性のある樹脂製のダイシングフレームが開発されている。樹脂製のダイシングフレームは、従来広く用いられているステンレススチール（ＳＵＳ）製のダイシングフレームと比較して軽量であるため有用である。しかしながら、従来の金属製又は合金製のダイシングフレームでは、洗浄液に対する耐性を考慮する必要はなかったが、樹脂製のダイシングフレームを用いる場合には、洗浄液に対して溶解する可能性があり、洗浄液が付着することにより、ダイシングフレームが劣化する虞がある。
【００１６】
したがって、ダイシングフレームが取り付けられたダイシングテープが貼着されたウエハを、ダイシングテープ及びダイシングフレームの汚染を防ぎ、かつダイシングテープ及びダイシングフレームの劣化を防ぎながら効率よく洗浄することができる技術の開発が強く求められている。
【００１７】
本発明は、上記の課題を解決するためになされたものであり、その目的は、外周に枠部が取り付けられている粘着テープが貼着されている基板を効率よく洗浄することができる洗浄装置及び洗浄方法を提供することにある。
【課題を解決するための手段】
【００１８】
本発明に係る洗浄装置は、その片面に粘着テープが貼着され、上記粘着テープの外周に枠部が取り付けられている基板を、洗浄液により洗浄する洗浄手段を備える洗浄装置であって、上記基板の外縁部分よりも外側にはみ出した粘着テープの露出面と、上記枠部とに、これらを洗浄液から保護する保護膜を形成する保護膜形成手段をさらに備えていることを特徴としている。
【００１９】
本発明に係る洗浄方法は、その片面に粘着テープが貼着され、上記粘着テープの外周に枠部が取り付けられている基板を洗浄する洗浄方法であって、上記基板の外縁部分よりも外側にはみ出した粘着テープの露出面と、上記枠部とに、これらを洗浄液から保護する保護膜を形成する保護膜形成工程と、上記保護膜を形成した後に、上記基板を洗浄液により洗浄する洗浄工程とを包含することを特徴としている。
【発明の効果】
【００２０】
本発明によれば、例えば、外周に枠部が取り付けられている粘着テープが貼着されている基板を効率よく洗浄することができる。
【図面の簡単な説明】
【００２１】
【図１】本発明の一実施形態に係る洗浄装置の構成を示す上面図である。
【図２】本発明の一実施形態に係る洗浄方法の処理の流れを示す図である。
【図３】外周にダイシングフレームが取り付けられているダイシングテープに貼着されたウエハ表面を洗浄する従来の洗浄方法の一例を示す図である。
【発明を実施するための形態】
【００２２】
〔洗浄装置〕
本発明に係る洗浄装置は、その片面に粘着テープが貼着され、上記粘着テープの外周に枠部が取り付けられている基板を、洗浄液により洗浄する洗浄手段を備える洗浄装置であって、上記基板の外縁部分よりも外側にはみ出した粘着テープの露出面と、上記枠部とに、これらを洗浄液から保護する保護膜を形成する保護膜形成手段をさらに備えていることを特徴としている。本発明の一実施形態に係る洗浄装置について、図１を参照して説明する。図１は、本発明の一実施形態に係る洗浄装置８０の構成を示す上面図である。
【００２３】
図１に示すように、洗浄装置８０は、塗布（保護膜）ユニット５０及び除去ユニット６０を備えており、塗布ユニット５０は保護膜形成手段４を備え、除去ユニット６０は第１の洗浄手段５（洗浄手段）を備えている。除去ユニット６０は、第２の洗浄手段６（除去手段）をさらに備えていてもよい。また、洗浄装置８０は、被処理体収納部８、搬送手段４０、及び剥離ユニット５４（剥離手段）を備えていてもよい。なお、本発明の洗浄装置は、例示した洗浄装置８０の構成に限定されない。
【００２４】
洗浄装置８０は、サポートプレート（支持板）が剥離された後のウエハ（基板）を被処理体９として洗浄処理を施すようになっている。
【００２５】
（被処理体）
本実施形態において、洗浄処理の対象となる被処理体は、その外周にダイシングフレーム（枠部）が取り付けられたダイシングテープ（粘着テープ）に貼着されたウエハ（基板）である。ウエハは回路（素子）が形成された基板であり、半導体など従来公知の材質の基板を用いることができる。
【００２６】
ダイシングテープは、ウエハの強度を補強するためにウエハの片面に接着される。ダイシングテープとしては、例えばベースフィルムに粘着層が形成された構成のダイシングテープを用いることができる。ベースフィルムとしては、例えば、ＰＶＣ（ポリ塩化ビニル）、ポリオレフィン又はポリプロピレン等の樹脂フィルムを用いることができる。ダイシングテープの外径はウエハの外径よりも大きく、これらを貼り合わせるとウエハの外縁部分にダイシングテープの一部が露出した状態になっている。
【００２７】
ダイシングテープの露出面のさらに外周には、ダイシングテープの撓みを防止するためのダイシングフレームが取り付けられている。すなわち、ダイシングテープの外縁部分には、ダイシングフレームが露出した状態になっている。ダイシングフレームとしては、例えば、アルミニウム等の金属製のダイシングフレーム、ステンレススチール（ＳＵＳ）等の合金製のダイシングフレーム、及び樹脂製のダイシングフレームが挙げられる。樹脂製のダイシングフレームとしては、例えば、信越ポリマー社製、ディスコ社製の樹脂製ダイシングフレーム等が挙げられる。
【００２８】
ダイシングフレームとして、金属製又は合金製のダイシングフレームを用いれば、剛性があり、ひずみにくい上に安価であるが、樹脂製のダイシングフレームと比較すると重いため、搬送時に作業者又は搬送ロボットに負担が掛かる。近年、平坦で剛性のある樹脂製のダイシングフレームが開発されており、従来広く用いられている金属性又は合金製のダイシングフレームと比較して軽量であるという利点がある。樹脂製のダイシングフレームは、軽量であるため搬送が容易であり、さらに金属製のフレームカセットに出し入れするときに、摩擦による発塵が少ないという利点がある。
【００２９】
洗浄装置８０は、特に、ウエハ製造工程において一時的に保持されたサポートプレートを剥離した後のウエハを洗浄する用途に好適に用いることができる。
【００３０】
つまり、ウエハの表面にはその製造工程において汚れが付着することがあるため、この付着物を除去してウエハの表面を清浄にしなくてはならない。特に、接着剤を介して接着させたサポートプレートを剥離すると、ウエハの表面に接着剤等が残存してしまう。また、接着剤を溶解させたときに接着剤中のフィラーなどに由来する溶解残渣物がウエハの表面に残存していることもある。そのため、ウエハをダイシングして各チップに分割する前に、ダイシングテープに貼り合わせた状態でウエハの表面を洗浄する必要がある。
【００３１】
ただし、ウエハに対して洗浄液を吐出することによって、残存接着剤及び溶解残渣物等の付着物を一緒に流してウエハ上から除去する従来の方法では、ウエハの外縁部分よりも外側にはみ出したダイシングテープの露出面に付着物が付着し、ダイシングテープを汚染させてしまう。また、ダイシングテープに洗浄液が直接接触する場合には、洗浄液の種類によってはダイシングテープを劣化させてしまう。さらに、ダイシングテープに付着した付着物がダイシングブレードに巻き込まれ、再びウエハを汚してしまう。
【００３２】
また、ダイシングテープの露出面よりもさらに外側にはみ出したダイシングフレームにまで洗い流した付着物が付着するので、その後の工程においてロボットアームによりダイシングフレームを掴んだときに、ロボットアームが付着物により汚染されてしまう。
【００３３】
また、従来の金属製又は合金製のダイシングフレームでは、洗浄液に対する耐性を考慮する必要はなかったが、樹脂製のダイシングフレームを用いる場合には、洗浄液の種類によっては耐溶剤性がなく、洗浄液に対して溶解する可能性があり、洗浄液が付着することにより、ダイシングフレームが劣化する虞がある。
【００３４】
洗浄装置８０によれば、このような問題を防ぎ、被処理体を好適に洗浄処理することができる。
【００３５】
（搬送手段）
搬送手段４０は、被処理体９が収容されている被処理体収納部８から、被処理体９を取り出して塗布ユニット５０に搬送するようになっている。また、搬送手段４０は、塗布ユニット５０から剥離ユニット５４又は除去ユニット６０に、被処理体９を搬送するようになっている。
【００３６】
搬送手段４０は、搬送ロボット４２と、直線走行を実現するための走行路４６とを有している。搬送ロボット４２は、軸を中心として回転可能であり、２つの連結アーム４４ａと、ハンド４４ｂとを有している。
【００３７】
連結アーム４４ａは、関節における回転動作によって伸縮動作を実行するようになっている。ハンド４４ｂは連結アーム４４ａの先端に設けられ、被処理体９又はウエハを把持するようになっている。搬送ロボット４２は、連結アーム４４ａの伸縮動作と軸を中心とした回転動作とによって、水平面内における被処理体９又はウエハの移動を可能としている。
【００３８】
（塗布ユニット）
塗布ユニット５０は、被処理体９に保護膜を形成するようになっている。具体的には、保護膜形成手段４が、ウエハの外縁部分よりも外側にはみ出したダイシングテープの露出面とダイシングフレームとに、これらを洗浄液から保護する保護膜を形成する。保護膜形成手段４は、ダイシングテープの露出面及びダイシングフレームに対して、洗浄液に不溶な保護膜材料を塗布して保護膜を形成するようになっている。これにより、容易かつ確実に保護膜を形成することができる。
【００３９】
保護膜形成手段４は、例えば、ノズル等の吐出手段から液状の保護膜材料を吐出するような構成にすればよい。しかしながら、保護膜形成手段４の構成は、このように液状の保護膜材料を吐出するような構成に限定されるものではない。例えば、予め可撓性フィルム等のフィルム上に上述したいずれかの保護膜材料含む保護層を形成した後、乾燥させておき、このフィルムを、ダイシングテープの露出面及びダイシングフレームに貼り付けるような構成であってもよい。
【００４０】
保護膜形成手段４は、ダイシングテープの露出面及びダイシングフレームと、さらにダイシングフレームの外周部に、保護膜材料を塗布するようになっていてもよい。これにより、ダイシングフレームの外周部にまで保護膜が形成されるので、洗浄液がダイシングフレームの外周部にまで到達したとしても、ダイシングフレームを洗浄液から確実に保護することができる。
【００４１】
また、塗布ユニット５０は、例えば保護膜材料を塗布する前に、ダイシングテープの露出面に紫外線を照射するようになっていてもよい。これにより、ダイシングテープの濡れ性を向上させることができる。
【００４２】
なお、塗布ユニット５０は、例えば、保護膜形成手段４が保護膜の材料を塗布するとき、被処理体９を回転させるような構成になっていてもよい。
【００４３】
（保護膜材料）
保護膜形成手段４が塗布する保護膜材料は、洗浄液に不溶な材料からなる構成であれば特に限定されないが、水溶性の材料からなることがより好ましい。このような保護膜材料としては、例えば、アクリル系樹脂、ビニル系樹脂、セルロース系樹脂、及びアミド系樹脂の中から選ばれる少なくとも１種の水溶性樹脂を用いることができる。
【００４４】
アクリル系樹脂としては、例えば、アクリル酸、アクリル酸メチル、メタクリル酸、メタクリル酸メチル、Ｎ，Ｎ−ジメチルアクリルアミド、Ｎ，Ｎ−ジメチルアミノプロピルメタクリルアミド、Ｎ，Ｎ−ジメチルアミノプロピルアクリルアミド、Ｎ−メチルアクリルアミド、ジアセトンアクリルアミド、Ｎ，Ｎ−ジメチルアミノエチルメタクリレート、Ｎ，Ｎ−ジエチルアミノエチルメタクリレート、Ｎ，Ｎ−ジメチルアミノエチルアクリレート、アクリロイルモルホリン等のモノマーを構成成分とするポリマー又はコポリマーが挙げられる。
【００４５】
ビニル系樹脂としては、例えば、Ｎ−ビニルピロリドン、ビニルイミダゾリジノン、酢酸ビニル等のモノマーを構成成分とするポリマー又はコポリマーが挙げられる。
【００４６】
セルロース系樹脂としては、例えば、ヒドロキシプロピルメチルセルロースフタレート、ヒドロキシプロピルメチルセルロースアセテートフタレート、ヒドロキシプロピルメチルセルロースヘキサヒドロフタレート、ヒドロキシプロピルメチルセルロースアセテートサクシネート、ヒドロキシプロピルメチルセルロース、ヒドロキシプロピルセルロース、ヒドロキシエチルセルロール、セルロールアセテートヘキサヒドロフタレート、カルボキシメチルセルロース、エチルセルロース、メチルセルロース等が挙げられる。
【００４７】
さらに、アミド系樹脂の中で水溶性のものも用いることができる。その中でも、ビニル系樹脂が好ましく、特にポリビニルピロリドン又はポリビニルアルコールが好ましい。
【００４８】
これらの水溶性樹脂は、単独で用いてもよいし、２種以上を混合して用いてもよい。上記樹脂の中でも、保護膜が形成されたダイシングテープの露出面の接着強度が、保護膜形成前の接着強度の値と比べて５０％以下になる樹脂を用いればよく、３０％以下になる樹脂を用いることがより好ましい。これにより、粘着性のあるダイシングテープに、残存接着剤、溶解残渣物等が付着するのを好適に防ぐことができる。
【００４９】
（剥離ユニット）
剥離ユニット５４は、ウエハにおいて、ダイシングテープが貼着されている面に背向する面に接着剤を介して貼着されたサポートプレートを、ウエハから剥離するようになっている。剥離ユニット５４の構成は、ウエハとサポートプレートとの間に介在する接着層の構成に応じて適宜変更すればよく、例えば、接着剤を溶解するための溶剤を供給可能な構成であってもよいし、反応層を分解させるために光を照射可能な構成であってもよい。サポートプレートとして穴あきサポートプレートを用いた場合には、剥離ユニット５４によって、サポートプレートの貫通孔を介して溶剤を接着層に供給して接着剤を溶解し、ウエハとサポートプレートとを剥離してもよい。
【００５０】
なお、剥離ユニット５４による剥離処理は、塗布ユニット５０によって保護膜が形成される前でも後でもよい。
【００５１】
（除去ユニット）
除去ユニット６０は、第１の洗浄手段５によりウエハの表面に付着している付着物を洗浄し、第２の洗浄手段６によりダイシングテープの露出面及びダイシングフレームに形成された保護膜を除去するようになっている。
【００５２】
第１の洗浄手段５の構成は、洗浄液を用いてウエハを洗浄するようになっている限り、特に限定されるものではないが、例えば、ノズル等の吐出手段により洗浄液を吐出するようになっていてもよい。第１の洗浄手段５は、サポートプレートが剥離されたウエハ上に対して洗浄液を吐出し、ウエハ上に残存している付着物を洗浄して除去してもよい。
【００５３】
第２の洗浄手段６の構成は、保護膜を除去可能な限り、特に限定されるものではなく、保護膜の材料又は形態に応じて適宜変更可能である。例えば、ノズル等の吐出手段を用いて保護膜に洗浄液を吐出するような構成でもよいし、保護膜フィルムを剥離するような構成であってもよい。
【００５４】
保護膜が洗浄液に不溶で且つ水溶性の保護膜材料により形成されている場合、第２の洗浄手段６は、保護膜に水を供給し、保護膜を除去するようになっていることが好ましい。これにより、容易かつ確実に保護膜を除去することができる。
【００５５】
また、除去ユニット６０は、第２の洗浄手段６による洗浄（保護膜除去）処理の後に、例えば、ウエハの表面をさらにドライ処理等をするようになっていてもよい。これにより、第１の洗浄手段５による洗浄では完全に除去しきれなかった接着剤等の付着物があったとしても、さらなる除去処理によってウエハの表面をより清浄にすることができる。そのような処理としては、例えば、酸素プラズマを発生させて、ウエハの表面に残存している接着剤を除去するプラズマ処理が挙げられる。
【００５６】
除去ユニット６０は、第１の洗浄手段５及び第２の洗浄手段６による処理がそれぞれ行なわれるとき、被処理体９を回転させるような構成になっていてもよい。
【００５７】
（洗浄液）
第１の洗浄手段５がウエハ上を洗浄するために用いる洗浄液は、ウエハとサポートプレートとを接着する接着剤の種類に応じて適宜選択されるものであり、非水溶媒を含む限り、特に限定されるものではないが、例えば、後述するｐ−メンタン等のテルペン系溶剤を用いた公知の洗浄液を用いることができる。
【００５８】
洗浄液の例として、具体的には、ヘキサン、ヘプタン、オクタン、ノナン、メチルオクタン、デカン、ウンデカン、ドデカン、トリデカン等の直鎖状の炭化水素、炭素数３から１５の分岐状の炭化水素；ゲラニオール、ネロール、リナロール、シトラール、シトロネロール、ｐ−メンタン、ｏ−メンタン、ｍ−メンタン、ジフェニルメンタン、メントール、イソメントール、ネオメントール、リモネン、α−テルピネン、β−テルピネン、γ−テルピネン、α−テルピネオール、β−テルピネオール、γ−テルピネオール、テルピネン−１−オール、テルピネン−４−オール、１，４−テルピン、１，８−テルピン、カルボン、ヨノン、ツヨン、カンファー、ボルナン、ボルネオール、ノルボルナン、ピナン、α−ピネン、β−ピネン、ツジャン、α−ツジョン、β−ツジョン、カラン、ショウノウ、ロンギホレン、１，４−シネオール、１，８−シネオール等のモノテルペン類、アビエタン、アビエチン酸等のジテルペン類、等の環状の炭化水素（テルペン類）が挙げられる。
【００５９】
（接着剤）
洗浄装置８０は、ウエハとサポートプレートとを接着するために用いられる接着剤であって、ウエハからサポートプレートを剥離した後にウエハ上に付着する接着剤の残存物及び溶解残渣物を洗浄処理する。このように、洗浄装置８０の洗浄処理の対象となる接着剤としては、接着性を有する樹脂を含んでいるものであれば特に限定されないが、さらにフィラーを含んでいるものであってもよい。
【００６０】
洗浄処理の対象となる接着剤は、樹脂として、例えば、ゼラチン、セルロース、セルロースエステル（例えば、酢酸セルロース、ニトロセルロース）、ポリフェノール、ポリビニルブチラール、ポリビニルアセタール、ポリカーボネート、ポリウレタン、ポリエステル、ポリオルトエステル、ポリアセタール、ポリビニルアルコール、ポリビニルピロリドン、塩化ビニリデンとアクリロニトリルとの共重合体、ポリ（メタ）アクリレート、ポリ塩化ビニル、シリコーン樹脂又はポリウレタン単位を含むブロックコポリマーなどを、単独で又は２種以上混合して含んでいてもよい。
【００６１】
また、接着剤は、フィラーとして、例えば、シリカ、アルミナ、酸化亜鉛、酸化チタン、酸化カルシウム、酸化マグネシウム、酸化鉄、酸化スズ、酸化アンチモン、フェライト類、水酸化カルシウム、水酸化マグネシウム、水酸化アルミニウム、塩基性炭酸マグネシウム、炭酸カルシウム、炭酸亜鉛、炭酸バリウム、ドーソナイト、ハイドロタルサイト、硫酸カルシウム、硫酸バリウム、ケイ酸カルシウム、タルク、クレー、マイカ、モンモリロナイト、ベントナイト、セピオライト、イモゴライト、セリサリト、ガラス繊維、ガラスビーズ、シリカ系バルン、窒化アルミニウム、窒化ホウ素、窒化ケイ素、カーボンブラック、グラファイト、炭素繊維、炭素バルン、ホウ酸亜鉛、各種磁性粉等を含んでいてもよい。
【００６２】
また、接着剤は、公知の方法を用いて、樹脂とフィラーとを混合することによって調製されたものであってもよい。このとき、必要に応じて有機溶剤で希釈した溶液が用いられていてもよい。
【００６３】
有機溶剤としては、例えば、アセトン、メチルエチルケトン、シクロヘキサノン、メチルイソアミルケトン、２−ヘプタノンなどのケトン類；エチレングリコール、エチレングリコールモノアセテート、ジエチレングリコール、ジエチレングリコールモノアセテート、プロピレングリコール、プロピレングリコールモノアセテート、ジプロピレングリコール又はジプロピレングリコールモノアセテートのモノメチルエーテル、モノエチルエーテル、モノプロピルエーテル、モノブチルエーテル又はモノフェニルエーテルなどの多価アルコール類及びその誘導体；ジオキサンなどの環式エーテル類；乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルなどのエステル類；及びテルペン系溶剤等を挙げることができる。これらは単独で用いてもよく、２種以上を混合して用いてもよい。
【００６４】
テルペン系溶剤としては、例えば、α−ピネン、カンフェン、ピナン、ミルセン、ジヒドロミルセン、ｐ−メンタン、３−カレン、ｐ−メンタジエン、α−テルピネン、β−テルピネン、α−フェランドレン、オシメン、リモネン、ｐ−サイメン、γ−テルピネン、テルピノーレン、１，４−シネオール、１，８−シネオール、ローズオキサイド、リナロールオキサイド、フェンコン、α−シクロシトラール、オシメノール、テトラヒドロリナロール、リナロール、テトラヒドロムゴール、イソプレゴール、ジヒドロリナロール、イソジヒドロラバンジュロール、β−シクロシトラール、シトロネラール、Ｌ−メントン、ギ酸リナリル、ジヒドロテルピネオール、β−テルピネオール、メントール、ミルセノール、Ｌ−メントール、ピノカルベオール、α−テルピネオール、γ−テルピネオール、ノポール、ミルテノール、ジヒドロカルベオール、シトロネロール、ミルテナール、ジヒドロカルボン、ｄ−プレゴン、ゲラニルエチルエーテル、ギ酸ゲラニル、ギ酸ネリル、ギ酸テルピニル、酢酸イソジヒドロラバンジュリル、酢酸テルピニル、酢酸リナリル、酢酸ミルセニル、酢酸ボルニル、プロピオン酸メンチル、プロピオン酸リナリル、ネロール、カルベオール、ペリラアルコール、ゲラニオール、サフラナール、シトラール、ペリラアルデヒド、シトロネリルオキシアセトアルデヒド、ヒドロキシシトロネラール、ベルベノン、ｄ−カルボン、Ｌ−カルボン、ピペリトン、ピペリテノン、ギ酸シトロネリル、酢酸イソボルニル、酢酸メンチル、酢酸シトロネリル、酢酸カルビル、酢酸ジメチルオクタニル、酢酸ネリル、酢酸イソプレゴール、酢酸ジヒドロカルビル、酢酸ノピル、酢酸ゲラニル、プロピオン酸ボルニル、プロピオン酸ネリル、プロピオン酸カルビル、プロピオン酸テルピニル、プロピオン酸シトロネリル、プロピオン酸イソボルニル、イソ酪酸リナリル、イソ酪酸ネリル、酪酸リナリル、酪酸ネリル、イソ酪酸テルピニル、酪酸テルピニル、イソ酪酸ゲラニル、酪酸シトロネリル、ヘキサン酸シトロネリル、イソ吉草酸メンチル、β−カリオフィレン、セドレン、ビサボレン、ヒドロキシシトロネロール、ファルネソール及びイソ酪酸ロジニルなどが挙げられる。これらのなかでも、溶解性の観点から、リモネン及びｐ−メンタンを用いることがより好ましく、ｐ−メンタンを用いることが特に好ましい。
【００６５】
なお、ウエハとサポートプレートとの間に介在する接着層の構成は接着剤のみからなるものに限定されず、例えば、接着剤の上に反応層が設けられていてもよい。反応層は、例えばレーザー光等によって分解される光吸収剤を含んでいてもよい。この場合には、洗浄装置８０は、反応層に光を照射して分解することによって、ウエハとサポートプレートとを剥離した後にウエハ上を洗浄し、接着剤等の付着物を取り除くようになっていればよい。
【００６６】
反応層に含まれる光吸収剤としては、例えば、グラファイト粉、鉄、アルミニウム、銅、ニッケル、コバルト、マンガン、クロム、亜鉛、テルルなどの微粒子金属粉末、黒色酸化チタンなどの金属酸化物粉末、カーボンブラック、又は芳香族ジアミノ系金属錯体、脂肪族ジアミン系金属錯体、芳香族ジチオール系金属錯体、メルカプトフェノール系金属錯体、スクアリリウム系化合物、シアニン系色素、メチン系色素、ナフトキノン系色素、アントラキノン系色素等の染料もしくは顔料が挙げられる。また、光吸収剤は、金属蒸着膜を含む膜状の形態などであってもよい。
【００６７】
洗浄装置８０によれば、ウエハの外縁部分よりも外側にはみ出したダイシングテープの露出面とダイシングフレームとに、第１の洗浄手段５がウエハを洗浄するために用いる洗浄液からこれらを保護する保護膜を形成する保護膜形成手段４を備えているので、ダイシングテープ及びダイシングフレームに付着物が付着して汚染されるのを防ぐことができる。また、洗浄装置８０によれば、ダイシングテープ及びダイシングフレームに付着物が付着するのを防ぐことができるので、これらに接触するダイシングブレード及びロボットアームの汚染を防ぐことができる上に、ウエハが再度汚染されるのも防ぐことができる。
【００６８】
さらに、洗浄装置８０によれば、ダイシングテープ及びダイシングフレームが保護膜により保護されているので、これらが洗浄液により劣化するのを防ぐことができる。その結果、洗浄液に対して耐性のないダイシングテープ及びダイシングフレームであっても、好適に用いることができる。
【００６９】
〔洗浄方法〕
本発明に係る洗浄方法は、その片面に粘着テープが貼着され、上記粘着テープの外周に枠部が取り付けられている基板を洗浄する洗浄方法であって、上記基板の外縁部分よりも外側にはみ出した粘着テープの露出面と、上記枠部とに、これらを洗浄液から保護する保護膜を形成する保護膜形成工程と、上記保護膜を形成した後に、上記基板を洗浄液により洗浄する洗浄工程とを包含することを特徴としている。本発明の一実施形態に係る洗浄方法について、図２を参照して説明する。図２は、本発明の一実施形態に係る洗浄方法の処理の流れを示す図である。
【００７０】
本実施形態において、洗浄方法は、サポートプレートが剥離された後の、ウエハ１を被処理体としており、ウエハ１には、ダイシングフレーム３がその外周に取り付けられたダイシングテープ２が貼着されている。なお、洗浄方法は、ウエハにおいて、ダイシングテープが貼着されている面に背向する面に接着剤を介してサポートプレートが貼着されており、後述する洗浄工程の前に、ウエハからサポートプレートを剥離する剥離工程をさらに備えていてもよい。すなわち、本実施形態では、保護膜形成工程の前にサポートプレートを剥離しているが、保護膜形成工程の後にサポートプレートを剥離してもよい。
【００７１】
ウエハ１の表面には、図２の（ａ）に示すように、ウエハ１とサポートプレートとを接着していた接着剤の残存接着剤１０及び溶解残渣物１１等の付着物が付着している。なお、以下に示す処理では上述した洗浄装置８０を用いる場合について説明する。
【００７２】
図２の（ｂ）に示すように、まず、ダイシングテープ２の露出面及びダイシングフレーム３に保護膜材料１２を供給する。保護膜材料１２の供給方法は特に限定されないが、例えば、図２の（ｂ）に示すようにノズル状の保護膜形成手段４から保護膜材料１２を吐出させればよい。
【００７３】
保護膜材料１２は、ダイシングテープ２の露出面及びダイシングフレームが少なくとも被覆されるように供給すればよく、ダイシングフレーム３の外周部にまで達するまで供給することが好ましい。また、保護膜材料１２を供給する前に、例えば予めウエハ１の表面にマスキング処理を施しておいてもよい。これにより、洗浄対象となるウエハ１の表面に保護膜が形成されて十分な洗浄が行なえなくなることを防ぐことができる。
【００７４】
また、保護膜材料１２を供給しているとき、ウエハ１等の被処理体を回転させてもよい。これにより、吐出した保護膜材料１２をダイシングテープ２及びダイシングフレーム３上に効率よく行き渡らせることができる。また、ダイシングテープ２及びダイシングフレーム３に対して材料１２を供給する前に、ダイシングテープ２及びダイシングフレーム３に紫外線を照射してもよい。これにより、ダイシングテープ２及びダイシングフレーム３への保護膜材料１２の濡れ性を向上させることができる。
【００７５】
その後、図２の（ｃ）に示すように吐出した保護膜材料１２を乾燥させて、保護膜１３を形成する（保護膜形成工程）。乾燥は自然乾燥でよいが、例えば図２の（ｃ）に矢印で示すように被処理体を回転させながら乾燥さてもよい。なお、乾燥方法はこれに限定されるものではなく、例えば、オーブン又はホットプレート等を用いて乾燥させてもよいし、温風をあてて乾燥させてもよい。
【００７６】
次に、洗浄液を用いてウエハ１を洗浄する（洗浄工程）。洗浄工程においては、サポートプレートが剥離されたウエハ１上に残存している付着物を洗浄して除去する。ウエハ１の洗浄方法としては、特に限定されないが、図２の（ｄ）に示すようにノズル状の第１の洗浄手段５から洗浄液１４をウエハ１上に吐出してもよい。このように、ウエハ１に対して洗浄液１４を吐出することにより、残存接着剤１０と共に溶解残渣物１１を洗い流してウエハ１上から除去することができる（図２の（ｅ））。
【００７７】
また、洗浄液１４を吐出するとき、ウエハ１等の被処理体を回転させてもよい。これにより、遠心力によって洗浄液１４を広範囲に広げてより効率よく洗浄することができる。このとき、ノズルを揺動（スイング）させながら洗浄液を吐出してもよい。
【００７８】
本実施形態に係る洗浄方法においては、保護膜形成工程においてダイシングテープ２及びダイシングフレーム３を保護する保護膜を形成した後に、洗浄工程においてウエハ１上を洗浄するので、ダイシングフレーム３が洗浄液に対して可溶な樹脂により形成されていてもよい。
【００７９】
ウエハ１の洗浄後、ダイシングテープ２及びダイシングフレーム３に形成されている保護膜１３を除去する（図２の（ｆ））。保護膜の除去方法としては特に限定されないが、例えば、保護膜１３が水溶性の材料からなる場合には、ノズル状の第２の洗浄手段６から保護膜１３に対して水１５を吐出し、保護膜１３を溶解させて除去すればよい。その後、被処理体を乾燥させる（図２の（ｇ））。このとき、被処理体をさらに回転させてもよい。
【００８０】
このように、本実施形態の洗浄方法によれば、ウエハの洗浄時にダイシングテープの露出面及びダイシングフレームが保護されているため、溶解残渣物等の付着を防ぐことができる。よって、その後のダイシングプロセス、搬送プロセス等において、ダイシングブレードやロボットアームが付着物により汚染されることがなく、これらの汚染によりウエハが再度付着物によって汚れることを防ぐことができる。また、洗浄液が直接ダイシングテープに接触しないため、ダイシングテープの劣化を防ぎ、例えばダイシングテープが膨潤するといった問題が起こり難い。さらにダイシングフレームにも洗浄液が直接接触しないので、洗浄液に対して耐性のないダイシングフレームを用いることも可能であり、例えば、軽量化のために、洗浄液に対して可溶な樹脂製のダイシングフレームを用いることもできる。
【００８１】
なお、上述した方法により洗浄した後のウエハ１のエッジ部分に接着剤等が残存していることがあるが、これは後のプロセスにおいて妨げにならない程度の量である。しかし、必要に応じてウエハ１のエッジ部に残存し得る残存接着剤を洗浄する工程を設けてもよい。当該工程としては、具体的には、例えば、被処理体の乾燥前、ダイシングテープ２の露出面に水をかけながらウエハ１のエッジ部に洗浄液をかけて洗浄してもよいし、ブレード又はブラシにて除去してもよい。
【００８２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８３】
本発明は、例えば、半導体ウエハの製造工程において好適に利用することができる。
【符号の説明】
【００８４】
１    ウエハ
２    ダイシングテープ
３    ダイシングフレーム
４    保護膜形成手段
５    第１の洗浄手段（洗浄手段）
６    第２の洗浄手段（除去手段）
８    被処理体収納部
４０    搬送手段
５０    塗布ユニット
５４    剥離ユニット（剥離手段）
６０    除去ユニット
８０    洗浄装置
【図１】
0005982180.tif 000002
【図２】
0005982180.tif 000003
【図３】
0005982180.tif 000004